(57)【要約】【課題】モニタに表示する画像を生成する機器から容易に複数の画像信号を切り替えて画像再生できる再生装置を提供する。【解決手段】再生装置１０は、第１画像信号を出力する画像転送装置２０と通信可能に接続され、画像転送装置２０から第１画像信号を受信する第１受信ＩＦ１１と、第１受信ＩＦ１１における通信手段とは別の通信手段を用いて画像転送装置２０と通信可能に接続され、第１画像信号の出力に関する情報を画像転送装置２０から受信する第２受信ＩＦ１２と、画像信号を出力する出力ＩＦ１４と、第１画像信号の出力に関する情報に応じて、第１画像信号と第１画像信号とは異なる第２画像信号とを切り替えて出力ＩＦ１４から出力させる制御部１５と、を備える。【選択図】図２
2019047282.tif 000002
【特許請求の範囲】
【請求項１】
第１画像信号を出力する画像転送装置と通信可能に接続され、前記画像転送装置から前記第１画像信号を受信する第１受信インタフェースと、
前記第１受信インタフェースにおける通信手段とは別の通信手段を用いて前記画像転送装置と通信可能に接続され、前記第１画像信号の出力に関する情報を前記画像転送装置から受信する第２受信インタフェースと、
画像信号を出力する出力インタフェースと、
前記第１画像信号の出力に関する情報に応じて、前記第１画像信号と前記第１画像信号とは異なる第２画像信号とを切り替えて前記出力インタフェースから出力させる制御部と、を備える、
再生装置。
【請求項２】
前記第１画像信号の出力に関する情報は、前記第１受信インタフェースへの前記第１画像信号の出力の開始を示す情報及び出力の終了を示す情報を含み、
前記制御部は、
第２受信インタフェースが前記出力の開始を示す情報を受信した場合、前記第１画像信号を前記出力インタフェースから出力させ、
第２受信インタフェースが前記出力の終了を示す情報を受信した場合、前記第２画像信号を前記出力インタフェースから出力させる、
請求項１に記載の再生装置。
【請求項３】
前記再生装置は、さらに、前記第２画像信号を受信する第３受信インタフェースを備える、
請求項１又は２に記載の再生装置。
【請求項４】
前記再生装置は、さらに、前記第２画像信号を記憶する記憶部を備える、
請求項１〜３のいずれか１項に記載の再生装置。
【請求項５】
前記制御部は、前記第２受信インタフェースにおける前記出力装置との接続が切れた場合、前記第２画像信号を前記出力インタフェースから出力させる、
請求項１〜４のいずれか１項に記載の再生装置。
【請求項６】
端末に表示されている画像を示す表示画像情報を当該端末から受信する通信インタフェースと、
前記通信インタフェースにおける前記表示画像情報の受信状況を判断する判断部と、
前記通信インタフェースが前記表示画像情報を受信している場合に、当該表示画像情報を所定の通信手段に適合した第１画像信号へと画像処理する画像処理部と、
画像信号を再生するための再生装置と前記所定の通信手段を用いて通信可能に接続され、前記第１画像信号を前記再生装置へ送信する第１送信インタフェースと、
前記第１送信インタフェースにおける前記所定の通信手段とは別の通信手段を用いて前記再生装置と通信可能に接続され、前記受信状況に応じた前記第１画像信号の出力に関する情報を前記再生装置へ送信する第２送信インタフェースと、を備える、
画像転送装置。
【請求項７】
画像信号を再生するための再生装置と、第１画像信号を前記再生装置へ出力する画像転送装置と、を備える再生システムであって、
前記画像転送装置は、
端末に表示されている画像を示す表示画像情報を当該端末から受信する通信インタフェースと、
前記通信インタフェースにおける前記表示画像情報の受信状況を判断する判断部と、
前記通信インタフェースが前記表示画像情報を受信している場合に、当該表示画像情報を所定の通信手段に適合した第１画像信号へと画像処理する画像処理部と、
前記再生装置と前記所定の通信手段を用いて通信可能に接続され、前記第１画像信号を前記再生装置へ送信する第１送信インタフェースと、
前記第１送信インタフェースにおける前記所定の通信手段とは別の通信手段を用いて前記再生装置と通信可能に接続され、前記受信状況に応じた前記第１画像信号の出力に関する情報を前記再生装置へ送信する第２送信インタフェースと、を備え、
前記再生装置は、
前記第１送信インタフェースと接続され、前記第１画像信号を前記出力装置から受信する第１受信インタフェースと、
前記第２送信インタフェースと接続され、前記第１画像信号の出力に関する情報を前記出力装置から受信する第２受信インタフェースと、
画像信号を出力する出力インタフェースと、
前記第１画像信号の出力に関する情報に応じて、前記第１画像信号と前記第１画像信号とは異なる第２画像信号とを切り替えて、前記出力インタフェースから出力させる制御部と、を備える、
再生システム。
【請求項８】
第１画像信号を出力する画像転送装置から前記第１画像信号を受信する第１受信ステップと、
前記第１受信ステップにおける通信手段とは別の通信手段を用いて、前記第１画像信号の出力に関する情報を前記画像転送装置から受信する第２受信ステップと、
前記第１画像信号の出力に関する情報に応じて、前記第１画像信号と前記第１画像信号とは異なる第２画像信号とを切り替えて出力する出力ステップと、を含む、
再生方法。
【発明の詳細な説明】
【技術分野】
【０００１】
本発明は、再生装置、画像転送装置、再生システム及び再生方法に関する。
【背景技術】
【０００２】
従来、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）信号等の画像信号（映像信号）が入力され、入力された画像信号をモニタ等に出力して再生する、いわゆるＨＤＭＩパススルー機能を有する再生装置が開示されている（例えば、特許文献１）。これにより、他の機器からの画像信号を中継してモニタ等で再生することができる。
【先行技術文献】
【特許文献】
【０００３】
【特許文献１】特開２０１０−１３００６８号公報
【発明の概要】
【発明が解決しようとする課題】
【０００４】
ところで、１台の再生装置を用いて、複数の機器からの複数の画像信号を切り替えて再生したいという要望がある。具体的には、通常時にはある画像信号を再生する状態にしておき、所望のタイミングで他の画像信号を当該ある画像信号に割り込んで再生したいという要望がある。これに対して、例えば、スイッチングハブを用いることが考えられる。スイッチングハブは、複数の画像信号が同時に入力される場合であっても、複数の機器からの複数の画像信号を切り替えて再生できる。しかしながら、スイッチングハブを用いるためには、専用の装置が必要になるためコストが掛かり、また、認証が必要になるため手間が掛かる。また、モニタの大型化に伴ってスイッチンクハブが高所など手の届きにくい場所に設置される傾向にあり、切り替え操作自体が困難となる。
【０００５】
そこで、本発明は、上記問題を解決するためになされたものであり、モニタに表示する画像を生成する機器から容易に複数の画像信号を切り替えて画像再生できる再生装置等を提供することを目的とする。
【課題を解決するための手段】
【０００６】
上記課題を解決するために、本発明の一態様に係る再生装置は、第１画像信号を出力する画像転送装置と通信可能に接続され、前記画像転送装置から前記第１画像信号を受信する第１受信インタフェースと、前記第１受信インタフェースにおける通信手段とは別の通信手段を用いて前記画像転送装置と通信可能に接続され、前記第１画像信号の出力に関する情報を前記画像転送装置から受信する第２受信インタフェースと、画像信号を出力する出力インタフェースと、前記第１画像信号の出力に関する情報に応じて、前記第１画像信号と前記第１画像信号とは異なる第２画像信号とを切り替えて前記出力インタフェースから出力させる制御部と、を備える。
【０００７】
このように、本態様の再生装置は、第１画像信号の通信が行われる第１受信インタフェースとは別に、さらに、第１画像信号の出力に関する情報の通信が行われる第２受信インタフェースも備える。したがって、第１画像信号が入力される第１受信インタフェースとは別に設けられた第２受信インタフェースに入力された第１画像信号の出力に関する情報によって、第１画像信号が入力されているか否かを判定することができる。このため、当該情報に応じてスイッチ（例えば半導体スイッチ等）を切り替えることで、第１画像信号と第２画像信号とを切り替えて再生できる。よって、モニタに表示する画像を生成する機器から容易に複数の画像信号を切り替えて画像再生できる。
【０００８】
また、前記第１画像信号の出力に関する情報は、前記第１受信インタフェースへの前記第１画像信号の出力の開始を示す情報及び出力の終了を示す情報を含み、前記制御部は、第２受信インタフェースが前記出力の開始を示す情報を受信した場合、前記第１画像信号を前記出力インタフェースから出力させ、第２受信インタフェースが前記出力の終了を示す情報を受信した場合、前記第２画像信号を前記出力インタフェースから出力させてもよい。
【０００９】
これによれば、通常時には第２画像信号が再生されている状態において、第１画像信号の出力の開始を示す情報が受信されると、第１画像信号を第２画像信号に割り込んで再生させることができ、また、第１画像信号の出力の終了を示す情報が受信されると、第２画像信号が再生される通常時の状態に戻すことができる。
【００１０】
また、前記再生装置は、さらに、前記第２画像信号を受信する第３受信インタフェースを備えてもよい。
【００１１】
これによれば、画像転送装置から受信した第１画像信号と、他の機器から受信した第２画像信号とを切り替えて再生できる。
【００１２】
また、前記再生装置は、さらに、前記第２画像信号を記憶する記憶部を備えてもよい。
【００１３】
これによれば、画像転送装置から受信した第１画像信号と、記憶部に記憶された第２画像信号とを切り替えて再生できる。
【００１４】
また、前記制御部は、前記第２受信インタフェースにおける前記出力装置との接続が切れた場合、前記第２画像信号を前記出力インタフェースから出力させてもよい。
【００１５】
これによれば、例えば第１画像信号が第２画像信号に割り込んで再生されている場合に、第２受信インタフェースと出力装置との通信接続が解除されたり、通信ケーブルが抜ける等、物理的に切断されたりした場合であっても、第２画像信号が再生される通常時の状態に戻すことができる。
【００１６】
また、本発明の一態様に係る出力装置は、端末に表示されている画像を示す表示画像情報を当該端末から受信する通信インタフェースと、前記通信インタフェースにおける前記表示画像情報の受信状況を判断する判断部と、前記通信インタフェースが前記表示画像情報を受信している場合に、当該表示画像情報を所定の通信手段に適合した第１画像信号へと画像処理する画像処理部と、画像信号を再生するための再生装置と前記所定の通信手段を用いて通信可能に接続され、前記第１画像信号を前記再生装置へ送信する第１送信インタフェースと、前記第１送信インタフェースにおける前記所定の通信手段とは別の通信手段を用いて前記再生装置と通信可能に接続され、前記受信状況に応じた前記第１画像信号の出力に関する情報を前記再生装置へ送信する第２送信インタフェースと、を備える。
【００１７】
このように、本態様の画像転送装置は、第１画像信号の通信が行われる第１送信インタフェースとは別に、さらに、第１画像信号の出力に関する情報の通信が行われる第２送信インタフェースも備える。したがって、当該画像転送装置が上記再生装置と接続されることで、モニタに表示する画像を生成する機器から容易に複数の画像信号を切り替えて画像再生できる。
【００１８】
また、本発明の一態様に係る再生システムは、画像信号を再生するための再生装置と、第１画像信号を前記再生装置へ出力する画像転送装置と、を備える再生システムであって、前記画像転送装置は、端末に表示されている画像を示す表示画像情報を当該端末から受信する通信インタフェースと、前記通信インタフェースにおける前記表示画像情報の受信状況を判断する判断部と、前記通信インタフェースが前記表示画像情報を受信している場合に、当該表示画像情報を所定の通信手段に適合した第１画像信号へと画像処理する画像処理部と、前記再生装置と前記所定の通信手段を用いて通信可能に接続され、前記第１画像信号を前記再生装置へ送信する第１送信インタフェースと、前記第１送信インタフェースにおける前記所定の通信手段とは別の通信手段を用いて前記再生装置と通信可能に接続され、前記受信状況に応じた前記第１画像信号の出力に関する情報を前記再生装置へ送信する第２送信インタフェースと、を備え、前記再生装置は、前記第１送信インタフェースと接続され、前記第１画像信号を前記出力装置から受信する第１受信インタフェースと、前記第２送信インタフェースと接続され、前記第１画像信号の出力に関する情報を前記出力装置から受信する第２受信インタフェースと、画像信号を出力する出力インタフェースと、前記第１画像信号の出力に関する情報に応じて、前記第１画像信号と前記第１画像信号とは異なる第２画像信号とを切り替えて、前記出力インタフェースから出力させる制御部と、を備える。
【００１９】
このように、本態様の再生システムは、上記再生装置と上記画像転送装置とを備えるため、モニタに表示する画像を生成する機器から容易に複数の画像信号を切り替えて画像再生できる。
【００２０】
また、本発明の一態様に係る再生方法は、第１画像信号を出力する画像転送装置から前記第１画像信号を受信する第１受信ステップと、前記第１受信ステップにおける通信手段とは別の通信手段を用いて、前記第１画像信号の出力に関する情報を前記画像転送装置から受信する第２受信ステップと、前記第１画像信号の出力に関する情報に応じて、前記第１画像信号と前記第１画像信号とは異なる第２画像信号とを切り替えて出力する出力ステップと、を含む。
【００２１】
これによれば、モニタに表示する画像を生成する機器から容易に複数の画像信号を切り替えて画像再生できる再生方法を提供できる。
【００２２】
なお、本発明は、装置として実現できるだけでなく、その装置を構成する処理手段をステップとする方法として実現したり、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００２３】
本発明により、モニタに表示する画像を生成する機器から容易に複数の画像信号を切り替えて画像再生できる。
【図面の簡単な説明】
【００２４】
【図１】図１は、実施の形態に係る再生システムの一例を示す構成図である。
【図２】図２は、実施の形態に係る再生装置の一例を示す構成図である。
【図３】図３は、実施の形態に係る画像転送装置の一例を示す構成図である。
【図４】図４は、実施の形態に係る再生装置の動作の一例を示すフローチャートである。
【図５】図５は、その他の実施の形態に係る再生方法の一例を示すフローチャートである。
【発明を実施するための形態】
【００２５】
以下、実施の形態について、図面を参照しながら具体的に説明する。
【００２６】
以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００２７】
なお、同一の構成要素には同一の符号を付し、説明を省略する場合がある。
【００２８】
（実施の形態）
以下、図１から図５を用いて実施の形態について説明する。
【００２９】
［１．再生システム］
図１は、実施の形態に係る再生システム１の一例を示す構成図である。
【００３０】
再生システム１は、モニタに表示する画像を生成する機器から複数の画像信号を切り替えて画像再生するためのシステムであり、例えば学校等に適用される。なお、画像信号には、画像データだけでなく、画像データの集合である映像データが含まれる。さらに、画像信号には、音声データ等が含まれていてもよい。以下では、映像データ及び音声データ等も含み得る情報を画像信号または画像情報として説明する。
【００３１】
図１に示されるように、再生システム１は、再生装置１０、画像転送装置２０、モニタ３０、端末４０、出力装置５１及び５２、サーバ６１、カメラ６２、並びに、マイク６３を備え、例えば、学校の校内１００に設置される。例えば、再生装置１０、画像転送装置２０、モニタ３０は、教室２００に設置され、端末４０は、教室２００において教師等によって用いられる。
【００３２】
再生装置１０は、画像転送装置２０とモニタ３０との間、並びに、出力装置５１及び５２とモニタ３０との間に接続され、画像転送装置２０並びに出力装置５１及び５２からの画像信号を適宜変換・中継してモニタ３０へ出力する。
【００３３】
例えば、通常時には、サーバ６１等に記憶された画像信号が出力装置５１を介して再生装置１０に送信され、再生装置１０は、当該画像信号をモニタ３０に出力する。当該画像信号は、例えば、学校から生徒への連絡事項等を含む。従来、職員室等付近に設置された連絡黒板に記載される連絡事項を、教室２００内においてモニタ３０上に映し出しておくことができる。これにより、生徒は学校からの連絡事項を容易に認識することができる。
【００３４】
また、例えば、朝会時又は緊急時等には、カメラ６２及びマイク６３等で取得された動画データ及び音声データを含む画像信号が、出力装置５２を介して再生装置１０に送信され、再生装置１０は、当該画像信号をモニタ３０に出力する。当該画像信号は、例えば、校長の講話又は生徒への緊急連絡等を含む。これにより、生徒は、これらの内容を教室２００内において確認することができる。
【００３５】
出力装置５１及び５２は、例えばＬＡＮ（Ｌｏｃａｌ  Ａｒｅａ  Ｎｅｔｗｏｒｋ）で再生装置１０に接続されており、サーバ６１、カメラ６２及びマイク６３からの信号を符号化してＬＡＮ経由で再生装置１０へ出力する。ここでは、出力装置５１及び５２から再生装置１０へ出力される画像信号を第２画像信号と呼ぶ。
【００３６】
また、例えば、授業中等には、端末４０のディスプレイに表示された画像を示す画像信号が画像転送装置２０を介して再生装置１０に送信され、再生装置１０は、当該画像信号をモニタ３０に出力する。当該画像信号は、例えば、講義を補助するための画像を含む。これにより、例えば、教師が端末４０で見ている画像や端末４０上で操作している画像等、端末４０のディスプレイに表示されている画像等（以後、表示画像情報と呼ぶ）を、教室２００内のモニタ３０に映し出すことができるため、講義を効果的に行うことができる。ここで、後述、詳細に説明するが、表示画像情報を画像転送装置２０が備える画像処理機能により変換された画像信号であって、画像転送装置２０から再生装置１０へ出力される画像信号を第１画像信号と呼ぶ。
【００３７】
端末４０は、例えば、スマートフォン又はタブレット等の携帯端末であり、画像転送装置２０と通信可能に接続される。端末４０は、第１画像信号を無線等により画像転送装置２０へ送信する。なお、端末４０に限らず、ＰＣ（Ｐｅｒｓｏｎａｌ  Ｃｏｍｐｕｔｅｒ）等が用いられてもよい。
【００３８】
また、画像転送装置２０は無線アクセスポイントの機能を備えることも可能であり、かかる機能により、授業に参加している生徒が操作する複数の端末からの画像等の情報を、教師用の端末４０に送信することが可能となる。この場合、教師用の端末４０においては、自らの画像等のみならず、これを生徒から送信されてきた複数の画像等と合成して、画像転送装置２０、再生装置１０を経由し、モニタ３０に表示させることも可能である。
【００３９】
モニタ３０は、教室２００に設置される、例えば、テレビ、プロジェクタ又は電子黒板等である。
【００４０】
なお、校内１００には、教室２００が複数存在し、例えば教室２００毎に再生装置１０及び画像転送装置２０が設置される。一方、出力装置５１及び５２は、例えば校内に１つ設置される。図１には、１つの教室２００に設置された１つの再生装置１０のみ示されているが、出力装置５１及び５２は、教室２００毎に設置された再生装置１０にネットワーク（例えばＬＡＮ）で接続され得る。
【００４１】
次に、再生装置１０及び画像転送装置２０の詳細について説明する。
【００４２】
［２．再生装置］
まず、再生装置１０について、図２を用いて説明する。
【００４３】
図２は、実施の形態に係る再生装置１０の一例を示す構成図である。なお、図２には、再生装置１０の他に、再生装置１０に接続されたモニタ３０、画像転送装置２０、並びに、出力装置５１及び５２も図示している。
【００４４】
図２に示されるように、再生装置１０は、第１受信インタフェース（第１受信ＩＦ）１１、第２受信インタフェース（第２受信ＩＦ）１２、第３受信インタフェース（第３受信ＩＦ）１３、出力インタフェース（出力ＩＦ）１４、制御部１５、スイッチ１６、記憶部１７及び変換部１８を備える。再生装置１０は、プロセッサ（マイクロプロセッサ）、メモリ等を含むコンピュータである。メモリは、ＲＯＭ、ＲＡＭ等であり、プロセッサにより実行される制御プログラム（コンピュータプログラム）を記憶することができる。例えばプロセッサが、制御プログラム（コンピュータプログラム）に従って動作することにより、第１受信ＩＦ１１、第２受信ＩＦ１２、第３受信ＩＦ１３、出力ＩＦ１４、制御部１５、スイッチ１６、記憶部１７及び変換部１８の動作が制御される。
【００４５】
第１受信ＩＦ１１は、第１画像信号を出力する画像転送装置２０と通信可能に接続され、画像転送装置２０から第１画像信号を受信するインタフェース装置である。第１受信ＩＦ１１は、例えばＨＤＭＩ規格に基づくネットワーク（インタフェース）で画像転送装置２０に接続される。第１受信ＩＦ１１と画像転送装置２０とは例えばＨＤＭＩケーブルで接続される。第１受信ＩＦ１１は、具体的には、ＨＤＭＩケーブルに接続されるコネクタ、及び、信号の送受信回路などを含む。
【００４６】
第２受信ＩＦ１２は、第１受信ＩＦ１１における通信手段とは別の通信手段を用いて画像転送装置２０と通信可能に接続され、第１画像信号の出力に関する情報を画像転送装置２０から受信するインタフェース装置である。第１受信ＩＦ１１における通信手段は、上述したように、例えばＨＤＭＩ規格に基づくネットワークであり、当該別の通信手段は、例えばＬＡＮである。なお、当該ＬＡＮは、有線ＬＡＮ（例えばＩＥＥＥ８０２．３に適合する有線ネットワーク）であってもよいし、無線ＬＡＮ（例えばＩＥＥＥ８０２．１１シリーズに適合する無線ネットワーク）であってもよいし、これらが混在したネットワークであってもよい。第２受信ＩＦ１２は、具体的には、ネットワークケーブルに接続されるコネクタ、又は、電波の送受信を行うアンテナ、及び、信号の送受信回路などを含む。第１画像信号の出力に関する情報は、例えば、第１受信ＩＦ１１への第１画像信号の出力の開始を示す情報及び出力の終了を示す情報を含む。例えば、画像転送装置２０から第１受信ＩＦ１１への第１画像信号の出力が開始されるときに、第２受信ＩＦ１２は、第１画像信号の出力の開始を示す情報を画像転送装置２０から受信する。また、例えば、画像転送装置２０から第１受信ＩＦ１１への第１画像信号の出力が終了するときに、第２受信ＩＦ１２は、第１画像信号の出力の終了を示す情報を画像転送装置２０から受信する。
【００４７】
第３受信ＩＦ１３は、符号化された第２画像信号を出力する出力装置５１及び５２と通信可能に接続され、当該第２画像信号を出力装置５１及び５２から受信するインタフェース装置である。第３受信ＩＦ１３は、例えばＬＡＮで出力装置５１及び５２と接続される。なお、当該ＬＡＮは、有線ＬＡＮであってもよいし、無線ＬＡＮであってもよいし、これらが混在したネットワークであってもよい。第３受信ＩＦ１３は、具体的には、ネットワークケーブルに接続されるコネクタ、又は、電波の送受信を行うアンテナ、及び、信号の送受信回路などを含む。
【００４８】
出力ＩＦ１４は、画像信号を再生するモニタ３０と接続され、モニタ３０へ第１画像信号又は第２画像信号を出力するインタフェース装置である。出力ＩＦ１４は、例えばＨＤＭＩ規格に基づくネットワーク（インタフェース）でモニタ３０に接続される。出力ＩＦ１４とモニタ３０とは例えばＨＤＭＩケーブルで接続される。出力ＩＦ１４は、具体的には、ＨＤＭＩケーブルに接続されるコネクタ、及び、信号の送受信回路などを含む。
【００４９】
制御部１５は、第１画像信号の出力に関する情報に応じて、第１画像信号と第１画像信号とは異なる第２画像信号とを切り替えて出力ＩＦ１４から出力させる。具体的には、制御部１５は、第１画像信号の出力に関する情報に応じて、スイッチ１６を制御することで、第１画像信号と第２画像信号とを切り替えて出力ＩＦ１４から出力させる。例えば、制御部１５は、第２受信ＩＦ１２が第１画像信号の出力に関する情報として、第１画像信号の出力の開始を示す情報を受信した場合、第１画像信号を出力ＩＦ１４から出力させる。具体的には、制御部１５は、第２受信ＩＦ１２が第１画像信号の出力の開始を示す情報を受信した場合、第１受信ＩＦ１１と出力ＩＦ１４とが導通するようにスイッチ１６を切り替え、第１受信ＩＦ１１が受信した第１画像信号が出力ＩＦ１４に送られるように動作する。また、例えば、制御部１５は、第２受信ＩＦ１２が第１画像信号の出力に関する情報として、第１画像信号の出力の終了を示す情報を受信した場合、第２画像信号を出力ＩＦ１４から出力させる。具体的には、制御部１５は、第２受信ＩＦ１２が第１画像信号の出力の終了を示す情報を受信した場合、後述する変換部１８と出力ＩＦ１４とが導通するようにスイッチ１６を切り替え、変換部１８から出力される第２画像信号が出力ＩＦ１４に送られるように動作する。
【００５０】
また、制御部１５は、第２受信ＩＦ１２における画像転送装置２０との接続が切れた場合、第２画像信号を出力ＩＦ１４から出力させる。例えば、第２受信ＩＦ１２は、キープアライブ機能を有しており、定期的にキープアライブ信号の送受信を画像転送装置２０と行っている。これにより、第２受信ＩＦ１２は、画像転送装置２０との接続が切れたか否かを判定できる。
【００５１】
スイッチ１６は、出力ＩＦ１４に接続された共通端子と、第１受信ＩＦ１１に接続された選択端子と、変換部１８に接続された選択端子とを備え、共通端子と各選択端子とは選択的に接続される。具体的には、スイッチ１６は、制御部１５からの制御信号に応じて、出力ＩＦ１４と第１受信ＩＦ１１との接続、及び、出力ＩＦ１４と変換部１８との接続が切り替えられる。スイッチ１６は、スイッチングハブ等の高機能なスイッチでなくてもよく、例えば、半導体スイッチ等の入力された信号に応じてオンオフを切り替えるスイッチである。
【００５２】
記憶部１７は、符号化された第２画像信号を記憶する、ＳＤメモリカード等のフラッシュメモリである。
【００５３】
変換部１８は、例えば、符号化された画像信号をＨＤＭＩ規格等に適合する画像信号に変換（復号）する。具体的には、変換部１８は、第３受信ＩＦ１３が受信した符号化された第２画像信号及び記憶部１７に記憶された符号化された第２画像信号を復号する。例えば、再生装置１０は、ＵＩ（ユーザインタフェース）を備えており、ユーザからの指示に応じて、第３受信ＩＦ１３が受信した第２画像信号、及び、記憶部１７に記憶された第２画像信号のいずれを変換部１８に変換させるかを選択できてもよい。
【００５４】
このような構成により、スイッチ１６が出力ＩＦ１４と第１受信ＩＦ１１とを接続しているときには出力ＩＦ１４から第１画像信号が出力され、出力ＩＦ１４と変換部１８とを接続しているときには出力ＩＦ１４から第２画像信号が出力される。
【００５５】
なお、同機能を実現するには、第２受信ＩＦ１２を設けず、第１受信ＩＦ１１が受信する信号が画像信号であるか否かを判断し、その判断結果に基づいてスイッチを動作させる方法も考えられるが、本発明による再生装置の構成（制御部１５における第２受信ＩＦ１２で受信した特定電気信号「第１画像信号の出力に関する情報」の有無判断）に比べ、高度な判断処理を必要とするため、高価かつ複雑な構成となり現実的な方法ではない。
【００５６】
［３．画像転送装置］
次に、画像転送装置２０について、図３を用いて説明する。
【００５７】
図３は、実施の形態に係る画像転送装置２０の一例を示す構成図である。なお、図３には、画像転送装置２０の他に、画像転送装置２０に接続された再生装置１０及び端末４０も図示している。
【００５８】
図３に示されるように、画像転送装置２０は、第１送信インタフェース（第１送信ＩＦ）２１、第２送信インタフェース（第２送信ＩＦ）２２、通信インタフェース（通信ＩＦ）２３、判断部２４及び画像処理部２５を備える。画像転送装置２０は、プロセッサ（マイクロプロセッサ）、メモリ等を含むコンピュータである。メモリは、ＲＯＭ、ＲＡＭ等であり、プロセッサにより実行される制御プログラム（コンピュータプログラム）を記憶することができる。例えばプロセッサが、制御プログラム（コンピュータプログラム）に従って動作することにより、第１送信ＩＦ２１、第２送信ＩＦ２２、通信ＩＦ２３の動作が制御され、判断部２４及び画像処理部２５の機能が実現される。
【００５９】
第１送信ＩＦ２１は、画像信号を再生するための再生装置１０と所定の通信手段を用いて通信可能に接続され、第１画像信号を再生装置１０へ送信するインタフェース装置である。第１送信ＩＦ２１は、所定の通信手段として例えばＨＤＭＩ規格に基づくネットワーク（インタフェース）で再生装置１０に接続される。第１送信ＩＦ２１と再生装置１０（第１受信ＩＦ１１）とは例えばＨＤＭＩケーブルで接続される。第１送信ＩＦ２１は、具体的には、ＨＤＭＩケーブルに接続されるコネクタ、及び、信号の送受信回路などを含む。
【００６０】
第２送信ＩＦ２２は、第１送信ＩＦ２１における所定の通信手段とは別の通信手段を用いて再生装置１０と通信可能に接続され、後述する通信ＩＦ２３での表示画像情報の受信状況に応じた第１画像信号の出力に関する情報を再生装置１０へ送信するインタフェース装置である。第１送信ＩＦ２１における所定の通信手段は、上述したように、例えばＨＤＭＩ規格に基づくネットワークであり、第２送信ＩＦ２２における当該別の通信手段は、例えばＬＡＮである。なお、当該ＬＡＮは、有線ＬＡＮであってもよいし、無線ＬＡＮであってもよいし、これらが混在したネットワークであってもよい。第２送信ＩＦ２２は、具体的には、ネットワークケーブルに接続されるコネクタ、又は、電波の送受信を行うアンテナ、及び、信号の送受信回路などを含む。
【００６１】
通信ＩＦ２３は、端末４０と通信可能に接続され、端末４０に表示されている画像を示す表示画像情報を端末４０から受信するインタフェース装置である。通信ＩＦ２３は、例えばＵＳＢ（Ｕｎｉｖｅｒｓａｌ  Ｓｅｒｉａｌ  Ｂｕｓ）通信を用いて表示画像情報を受信する。なお、ＵＳＢ通信は、有線ケーブル（ＵＳＢケーブル）による通信であってもよいし、ＵＳＢ  ｏｖｅｒ  ＩＰ技術を用いた有線もしくは無線ＬＡＮによる通信であってもよい。通信ＩＦ２３は、具体的には、ＵＳＢケーブルに接続されるコネクタ、有線ＬＡＮコネクタ、又は、電波の送受信を行うアンテナ、及び、信号の送受信回路などを含む。なお、本実施の形態では、画像転送装置２０は、図１において説明したようにＡＰ（アクセスポイント）の機能をも有し、通信ＩＦ２３は端末４０と無線通信を行う。
【００６２】
判断部２４は、通信ＩＦ２３における表示画像情報の受信状況を判断する。例えば、通信ＩＦ２３は、端末４０からＵＳＢ通信を用いて表示画像情報を受信すると、画像転送装置２０が備えるメモリに記憶されたアプリケーション（制御プログラム：図示せず）の指示に従って、判断部２４にその旨を通知する。これにより、判断部２４は、通信ＩＦ２３が表示画像情報を受信していると判断する。また、通信ＩＦ２３は、表示画像の受信が終了すると、判断部２４にその旨を通知する。これにより、判断部２４は、通信ＩＦ２３における表示画像情報の受信が終了したと判断する。
【００６３】
判断部２４は、通信ＩＦ２３からの表示画像情報を受信した旨の通知をもとに、画像処理部２５に表示画像情報を送信する。そして、画像処理部２５によって表示画像情報が画像処理（データ変換処理）された信号である第１画像信号の、再生装置１０（第１受信ＩＦ１１）への出力を開始するように第１送信ＩＦ２１へ通知する。
【００６４】
また、判断部２４は、通信ＩＦ２３からの表示画像情報を受信した旨の通知をもとに、表示画像情報の受信状況に応じた第１画像信号の出力に関する情報として、第１画像信号の出力の開始を示す情報を再生装置１０（第２受信ＩＦ１２）へ送信するように第２送信ＩＦ２２へ通知する。また、判断部２４は、通信ＩＦ２３からの表示画像情報の受信が終了した旨の通知をもとに、表示画像情報の受信状況に応じた第１画像信号の出力に関する情報として、第１画像信号の出力の終了を示す情報を再生装置１０（第２受信ＩＦ１２）へ送信するように第２送信ＩＦ２２へ通知する。
【００６５】
画像処理部２５は、通信ＩＦ２３が表示画像情報を受信している場合に、当該表示画像情報を所定の通信手段に適合した第１画像信号へと画像処理する。具体的には、画像処理部２５は、判断部２４から送信された表示画像情報を第１画像信号に変換するデータ処理を行う。より具体的には、画像処理部２５は、通信ＩＦ２３によって受信したＵＳＢ通信形式の表示画像情報をＨＤＭＩ規格に基づくインタフェースに出力できる形式の第１画像信号にデータ変換する。
【００６６】
［４．動作］
次に、再生システム１、特に、再生装置１０の動作について図４を用いて説明する。なお、図４に示されるフローチャートの開始時において、再生装置１０は、第２画像信号を出力している状態とし、スイッチ１６は、出力ＩＦ１４と変換部１８とを接続しているとする。
【００６７】
まず、第２受信ＩＦ１２は、画像転送装置２０の第２送信ＩＦ２２から第１画像信号の出力に関する情報として、第１画像信号の出力の開始を示す情報を受信する（ステップＳ１１）。これにより、制御部１５は、スイッチ１６を制御して、出力ＩＦ１４と第１受信ＩＦ１１とを接続する。
【００６８】
次に、出力ＩＦ１４は、第１受信ＩＦ１１が接続されて第１画像信号が送られてくるため、第１画像信号をモニタ３０へ出力する（ステップＳ１２）。これにより、出力ＩＦ１４は、第２受信ＩＦ１２が第１画像信号の出力の開始を示す情報を受信するまでは、第２画像信号を出力していたが、第１画像信号を第２画像信号に割り込んで出力することができる。
【００６９】
次に、制御部１５は、第２受信ＩＦ１２が第１画像信号の出力の終了を示す情報を受信したか否かを判定する（ステップＳ１３）。
【００７０】
第２受信ＩＦ１２が第１画像の出力の終了を示す情報を受信した場合（ステップＳ１３でＹｅｓ）、制御部１５は、スイッチ１６を制御して、出力ＩＦ１４と変換部１８とを接続する。これにより、出力ＩＦ１４は、変換部１８が接続されて第２画像信号が送られてくるため、第２画像信号をモニタ３０へ出力する（ステップＳ１４）。
【００７１】
このように、制御部１５は、第２受信ＩＦ１２が第１画像信号の出力の開始を示す情報を受信した場合、第１画像信号を出力ＩＦ１４から出力させ、出力の終了を示す情報を受信した場合、第２画像信号を出力ＩＦ１４から出力させるため、第１画像信号と第２画像信号とを切り替えて再生できる。例えば、通常時には、第２画像信号が再生され、第１画像信号を再生したいときには、第２送信ＩＦ２２から第２受信ＩＦ１２へ第１画像信号の出力の開始を示す情報が送信され、第１画像信号が第２画像信号に割り込んで再生される。また、第１画像信号の再生が終了したときには、第２送信ＩＦ２２から第２受信ＩＦ１２へ第１画像信号の出力の終了を示す情報が送信され、第２画像信号が再生される状態に戻る。
【００７２】
一方、第２受信ＩＦ１２が第１画像信号の出力の終了を示す情報を受信しない場合（ステップＳ１３でＮｏ）、制御部１５は、第２受信ＩＦ１２と第２送信ＩＦ２２との接続が切断されているか否かを判定する（ステップＳ１５）。これは、第１画像信号の出力が終了するまで第１画像信号は再生されるが、第２受信ＩＦ１２と第２送信ＩＦ２２との接続が切断されていることで、第２受信ＩＦ１２が第１画像信号の出力の終了を示す情報を受信できない場合があるためである。
【００７３】
第２受信ＩＦ１２と第２送信ＩＦ２２との接続が切断されていない場合（ステップＳ１５でＮｏ）、第１画像信号の出力の終了を示す信号が受信されるまで、ステップＳ１２からの処理が繰り返される。
【００７４】
第２受信ＩＦ１２と第２送信ＩＦ２２との接続が切断されている場合（ステップＳ１５でＹｅｓ）、制御部１５は、第１画像信号がいつ終了するのかを判断できないため、スイッチ１６を制御して、出力ＩＦ１４と変換部１８とを接続し、第２画像信号が再生される状態に戻す。これにより、制御部１５は、第１画像信号の出力は終了していることを認識できず、出力ＩＦ１４と第１受信ＩＦ１１とを接続したままにしてしまうことを抑制でき、つまり、モニタ３０において正常な画像が再生されない状態となってしまうことを抑制できる。なお、第２受信ＩＦ１２と第２送信ＩＦ２２との接続が切断されているか否かの判定は、上述したように、定期的にキープアライブ信号の送受信することで可能となり、例えば所定の時間経過してもキープアライブ信号の応答がなかった場合に、接続が切断されていると判定できる。
［５．効果］
以上説明したように、再生装置１０は、画像転送装置２０との第１画像信号の通信が行われる第１受信ＩＦ１１とは別に、さらに、第１画像信号の出力に関する情報の通信が行われる第２受信ＩＦ１２も備える。したがって、第１画像信号が入力される第１受信ＩＦ１１とは別に設けられた第２受信ＩＦ１２に入力された第１画像信号の出力に関する情報によって、第１画像信号が入力されているか否かを判定することができる。このため、当該情報に応じてスイッチ（例えば半導体スイッチ等）を切り替えることで、第１画像信号と第２画像信号とを切り替えて再生できる。よって、モニタに表示する画像を生成する機器から容易に複数の画像信号を切り替えて画像再生できる。
【００７５】
また、通常時には第２画像信号が再生されている状態において、第１画像信号の出力の開始を示す情報が受信された場合、第１画像信号を第２画像信号に割り込んで再生させることができ、また、第１画像信号の出力の終了を示す情報が受信された場合、第２画像信号が再生される通常時の状態に戻すことができる。
【００７６】
また、再生装置１０が第３受信ＩＦ１３を備えていることで、画像転送装置２０から受信した第１画像信号と、他の機器として例えば出力装置５１及び５２から受信した第２画像信号とを切り替えて再生できる。
【００７７】
また、再生装置１０が記憶部１７を備えていることで、画像転送装置２０から受信した第１画像信号と、記憶部１７に記憶された第２画像信号とを切り替えて再生できる。
【００７８】
また、例えば第１画像信号が第２画像信号に割り込んで再生されている場合に、第２受信ＩＦ１２と画像転送装置２０（第２送信ＩＦ２２）との通信接続が解除されたり、通信ケーブルが抜ける等、物理的に切断されたりした場合であっても、第２画像信号が再生される通常時の状態に戻すことができる。
【００７９】
また、画像転送装置２０は、第１画像信号の通信が行われる第１送信ＩＦ２１とは別に、さらに、第１画像信号の出力に関する情報の通信が行われる第２送信ＩＦ２２も備える。したがって、画像転送装置２０が再生装置１０と接続されることで、モニタに表示する画像を生成する機器から容易に複数の画像信号を切り替えて画像再生できる。
【００８０】
また、再生システム１は、再生装置１０と画像転送装置２０とを備えるため、モニタに表示する画像を生成する機器から容易に複数の画像信号を切り替えて画像再生できる。
【００８１】
（その他の実施の形態）
以上、本発明の再生装置１０、画像転送装置２０及び再生システム１について、実施の形態に基づいて説明したが、本発明は、上記実施の形態に限定されるものではない。本発明の趣旨を逸脱しない限り、当業者が思いつく各種変形を本実施の形態に施したもの、および、異なる実施の形態における構成要素を組み合わせて構築される形態も、本発明の範囲内に含まれる。
【００８２】
例えば、再生システム１は、少なくとも再生装置１０と画像転送装置２０とを備えていれば、再生システム１の構成は、図１に示されるものに限らない。
【００８３】
また、例えば、再生装置１０は、第３受信ＩＦ１３及び記憶部１７のうちのいずれかを備えていなくてもよい。ただし、校長の講話又は生徒への緊急連絡等のリアルタイムな画像を再生する場合には、出力装置５２からの第２画像信号を受信する必要があるため、再生装置１０は、第３受信ＩＦ１３を備えていることが好ましい。
【００８４】
また、例えば、第２受信ＩＦ１２と第２送信ＩＦ２２との接続は、第１受信ＩＦ１１と第１送信ＩＦ２１との接続に用いる通信手段と別の通信手段であれば、ＬＡＮに限らない。また、第１受信ＩＦ１１と第１送信ＩＦ２１との接続は、ＨＤＭＩ規格に基づく接続に限らず、例えばＤＶＩ（Ｄｉｇｉｔａｌ  Ｖｉｓｕａｌ  Ｉｎｔｅｒｆａｃｅ）規格等に基づく接続であってもよい。
【００８５】
また、上記説明では、再生装置１０が備えるインタフェースとして、第１受信ＩＦ１１、第２受信ＩＦ１２及び第３受信ＩＦ１３と便宜上称しているが、これらは受信機能だけでなく送信機能も有していてもよい。同様に、画像転送装置２０が備えるインタフェースとして、第１送信ＩＦ２１及び第２送信ＩＦと便宜上称しているが、これらは送信機能だけでなく受信機能も有していてもよい。
【００８６】
また、本発明は、再生装置１０、画像転送装置２０及び再生システム１として実現できるだけでなく、例えば再生装置１０を構成する各構成要素が行うステップ（処理）を含む方法として実現できる。
【００８７】
具体的には、図５に示されるように、再生方法は、第１画像信号を出力する画像転送装置２０から第１画像信号を受信する第１受信ステップ（ステップＳ２１）と、第１受信ステップにおける通信手段とは別の通信手段を用いて、第１画像信号の出力に関する情報を画像転送装置２０から受信する第２受信ステップ（ステップＳ２２）と、第１画像信号の出力に関する情報に応じて、第１画像信号と第１画像信号とは異なる第２画像信号とを切り替えて出力する出力ステップ（ステップＳ２３）と、を含む。なお、ステップＳ２１とステップＳ２３が行われる順序は逆であってもよいし、略同じタイミングで行われてもよい。
【００８８】
また、例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００８９】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００９０】
また、上記実施の形態の再生装置１０及び画像転送装置２０に含まれる複数の構成要素は、それぞれ、専用または汎用の回路として実現されてもよい。これらの構成要素は、１つの回路として実現されてもよいし、複数の回路として実現されてもよい。
【００９１】
また、上記実施の形態の再生装置１０及び画像転送装置２０に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【００９２】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００９３】
さらに、半導体技術の進歩または派生する別技術によりＬＳＩに置き換わる集積回路化の技術が登場すれば、当然、その技術を用いて、再生装置１０及び画像転送装置２０に含まれる各構成要素の集積回路化が行われてもよい。
【００９４】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【産業上の利用可能性】
【００９５】
本発明は、モニタに表示する画像を生成する機器から複数の画像信号を切り替えて画像再生する再生装置等に適用され得る。
【符号の説明】
【００９６】
１    再生システム
１０    再生装置
１１    第１受信インタフェース（第１受信ＩＦ）
１２    第２受信インタフェース（第２受信ＩＦ）
１３    第３受信インタフェース（第３受信ＩＦ）
１４    出力インタフェース（出力ＩＦ）
１５    制御部
１６    スイッチ
１７    記憶部
１８    変換部
２０    画像転送装置
２１    第１送信インタフェース（第１送信ＩＦ）
２２    第２送信インタフェース（第２送信ＩＦ）
２３    通信インタフェース（通信ＩＦ）
２４    判断部
２５    画像処理部
３０    モニタ
４０    端末
５１、５２    出力装置
６１    サーバ
６２    カメラ
６３    マイク
１００    校内
２００    教室
【図１】
2019047282.tif 000003
【図２】
2019047282.tif 000004
【図３】
2019047282.tif 000005
【図４】
2019047282.tif 000006
【図５】
2019047282.tif 000007